(57)【要約】      （修正有）【課題】  ダイオードを固定できるブッシュで表示管も固定でき、部品の種類の削減を図ることができ、コストダウンを図れるブッシュを用いた電子部品の固定構造を提供する。【解決手段】  上側に底部を有する有底円筒状のブッシュ１の上側底部に穿設された左右２つの孔部１ａ、１ａにダイオード２の端子２ａ、２ａを挿入して基板４にダイオードの端子を挿入固定するようにしたブッシュを用いた電子部品の固定構造において、ブッシュの上側底部に左右２つの孔部と間隔が異なり、表示管３の端子３ａの間隔に対応した前後２つの孔部１ｂ、１ｂが穿設されており、ダイオードを固定する場合には、ブッシュの左右２つの孔部にダイオードの端子を挿入して基板に固定し、表示管を固定する場合には、ブッシュの前後２つの孔部に表示管の端子を挿入して基板に固定することによって、１つのブッシュでダイオード固定用と表示管固定用とを兼用するように構成した。【選択図】  図１
2007184469.tif 000002
【特許請求の範囲】
【請求項１】
上側に底部を有する有底円筒状のブッシュの前記上側底部に穿設された左右２つの孔部にダイオードの端子を挿入して基板に前記ダイオードの端子を挿入固定するようにしたブッシュを用いた電子部品の固定構造において、前記ブッシュの上側底部に前記左右２つの孔部と間隔が異なり、表示管の端子の間隔に対応した前後２つの孔部が穿設されており、前記ダイオードを固定する場合には、前記ブッシュの左右２つの孔部に前記ダイオードの端子を挿入して前記基板に固定し、前記表示管を固定する場合には、前記ブッシュの前後２つの孔部に前記表示管の端子を挿入して前記基板に固定することによって、１つのブッシュでダイオード固定用と表示管固定用とを兼用するように構成したことを特徴とするブッシュを用いた電子部品の固定構造。
【請求項２】
上側に底部を有する有底筒状のブッシュに第１の電子部品の端子挿入用の第１の孔部を穿設し、前記第１の電子部品の端子を前記第１の孔部に挿入して基板に前記第１の電子部品の端子を挿入固定するようにしたブッシュを用いた電子部品の固定構造において、前記ブッシュに第２の電子部品の端子が挿入可能な２つ又は３つの第２の孔部を前記ブッシュの上側底部に穿設し、前記第１の電子部品の端子を固定する場合には、前記ブッシュの第１の孔部に前記第１の電子部品の端子を挿入して前記基板に固定し、前記第２の電子部品の端子を固定する場合には、前記ブッシュの第２の孔部に前記第２の電子部品の端子を挿入して前記基板に固定することによって、１つのブッシュで第１の電子部品固定用と第２電子部品固定用とを兼用するように構成したことを特徴とするブッシュを用いた電子部品の固定構造。
【請求項３】
前記有底筒状のブッシュが平面視略四辺形に形成されている請求項２に記載のブッシュを用いた電子部品の固定構造。
【発明の詳細な説明】
【技術分野】
【０００１】
本発明は、上側に底部を有する有底筒状のブッシュに第１の電子部品（例えば、ダイオード）の端子挿入用の第１の孔部を穿設し、第１の電子部品の端子を第１の孔部に挿入して基板に第１の電子部品の端子を挿入固定するようにしたブッシュを用いた電子部品の固定構造に関し、特に、同じブッシュを用いて第２の電子部品（例えば、表示管）を固定可能なブッシュを用いた電子部品の固定構造に関するものである。
【背景技術】
【０００２】
従来、電子部品の端子を基板に固定するブッシュは、電子部品として例えば、ダイオードだけしか固定することができず、他の電子部品として例えば、表示管を固定することができず、ダイオード固定用と表示管固定用の２つのブッシュが必要であるという問題があった。
【０００３】
第１の従来技術を図４（ａ）（ｂ）（ｃ）に示す。この従来のＬＥＤブラケット連結体は、図４（ａ）（ｂ）（ｃ）に示すように、先端に表示面１０２ａを有する表示体１０２を台座１０３上に形成した２個のＬＥＤブラケット１０１を連結している上下２個の連結部材１０４に、連結部同士を分断するように中央の連結部材幅方向にＶ字溝１０５を形成した。また、Ｖ字溝１０５の端部となる連結部材１０４両側部には対向するように凹部１０６を形成し、近傍の連結部材１０４より狭幅構造とした。（例えば、特許文献１参照）。
【０００４】
ところが、これにおいては、２種類の電子部品を取付けられるものではなかった。
【０００５】
第２の従来技術を図５（ａ）（ｂ）に示す。この従来の表示装置は、図５（ａ）（ｂ）に示すように、ＬＥＤホルダ２０１における筒状のＬＥＤ保持部２０２をレンズ２２４を挿通可能な内寸法にするとともに、裏ノブ２２３に挿通可能な外寸法とし、組付け時に裏ノブと重ね合わせ面を形成するとともに、ＬＥＤ保持部２０２の下部内壁にＬＥＤ保持孔を有する壁部とテーパー状部２０５を設ける。レンズ２２４は、表ノブ２２２裏側よりＬＥＤ近傍にまで至る長さとする。（例えば、特許文献２参照）。
【０００６】
ところが、これにおいても、２種類の電子部品を取付けられるものではなかった。
【０００７】
第３の従来技術を図６に示す。この従来の電子機器構造は、図６に示すように、電子機器筐体（図示略）の正面パネル（図示略）の内部にプリント基板３０４に固定する表示管ホルダ３０８を配置し、この表示管ホルダ３０８に蛍光表示管を保持させ、前記プリント基板３０４にリード３０９ａを支持するＬＥＤ素子３０９の発光頭部３０９ｂを、前記正面パネルに形成する機能表示孔（図示略）に臨ませて機能表示を行わせる電子機器構造において、前記ＬＥＤ素子３０９に対応した前記表示管ホルダ３０８の延長壁３０８ｂに、端面に開放された保持溝３１３を形成される保持部３１２を設け、同保持溝３１３にＬＥＤ素子３０９の頭部寄りの部分を保持させたものである。（例えば、特許文献３参照）。
【０００８】
ところが、これにおいても、２種類の電子部品を取付けられるものではなかった。
【特許文献１】特開２００３−８６８４４号公報
【特許文献２】特開平６−４３８１４号公報
【特許文献３】実開平７−３２９８９号公報
【発明の開示】
【発明が解決しようとする課題】
【０００９】
本発明は、上記従来の問題に鑑みてなされたものであって、第１の電子部品（例えば、ダイオード）を固定することができるブッシュで第２の電子部品（例えば、表示管）も固定することができ、部品の種類の削減を図ることができ、コストダウンを図ることができるブッシュを用いた電子部品の固定構造を提供することを目的としている。
【課題を解決するための手段】
【００１０】
本発明は、上記課題を解決するために提案されたものであって、請求項１に記載の発明は、上側に底部を有する有底円筒状のブッシュの前記上側底部に穿設された左右２つの孔部にダイオードの端子を挿入して基板に前記ダイオードの端子を挿入固定するようにしたブッシュを用いた電子部品の固定構造において、前記ブッシュの上側底部に前記左右２つの孔部と間隔が異なり、表示管の端子の間隔に対応した前後２つの孔部が穿設されており、前記ダイオードを固定する場合には、前記ブッシュの左右２つの孔部に前記ダイオードの端子を挿入して前記基板に固定し、前記表示管を固定する場合には、前記ブッシュの前後２つの孔部に前記表示管の端子を挿入して前記基板に固定することによって、１つのブッシュでダイオード固定用と表示管固定用とを兼用するように構成したことを特徴としている。
【００１１】
請求項２に記載の発明は、上側に底部を有する有底筒状のブッシュに第１の電子部品の端子挿入用の第１の孔部を穿設し、前記第１の電子部品の端子を前記第１の孔部に挿入して基板に前記第１の電子部品の端子を挿入固定するようにしたブッシュを用いた電子部品の固定構造において、前記ブッシュに第２の電子部品の端子が挿入可能な２つ又は３つの第２の孔部を前記ブッシュの上側底部に穿設し、前記第１の電子部品の端子を固定する場合には、前記ブッシュの第１の孔部に前記第１の電子部品の端子を挿入して前記基板に固定し、前記第２の電子部品の端子を固定する場合には、前記ブッシュの第２の孔部に前記第２の電子部品の端子を挿入して前記基板に固定することによって、１つのブッシュで第１の電子部品固定用と第２電子部品固定用とを兼用するように構成したことを特徴としている。
【００１２】
請求項３に記載の発明は、請求項２に記載の発明において、前記有底筒状のブッシュが平面視略四辺形に形成されている請求項２に記載のブッシュを用いた。
【発明の効果】
【００１３】
請求項１に記載の発明によれば、ダイオードを固定するブッシュを用いて表示管を固定でき、１つのブッシュをダイオード固定用と表示管固定用として使用できる。これにより、部品の種類の削減を図れ、コストダウンを図ることができる。
【００１４】
請求項２に記載の発明によれば、第１の電子部品を固定するブッシュを用いて第２の電子部品を固定でき、１つのブッシュで２種類の電子部品の固定用として兼用することができる。これにより、部品の種類の削減を図れ、コストダウンを図ることができる。
【００１５】
請求項３に記載の発明によれば、有底筒状のブッシュが平面視略四辺形に形成されているから、ブッシュを簡単に製作することができ、しかも、第１の電子部品及び第２の電子部品を基板に対して安定した状態で固定することができる。
【発明を実施するための最良の形態】
【００１６】
以下、本発明に係るブッシュを用いた電子部品の固定構造について、図を参照しつつ説明する。
【００１７】
図１は本発明の第１実施形態のブッシュを用いた電子部品の固定構造を示し、（ａ）はそのブッシュの斜視図、（ｂ）はそのブッシュの平面図、（ｃ）はブッシュを用いてダイオードを基板に固定した状態の縦断面図、（ｃ）はブッシュを用いてダイオードを基板に固定した状態の正面図、（ｅ）はブッシュを用いて表示管を基板に固定した状態の一部断面した正面図である。
【００１８】
この第１実施形態のブッシュを用いた電子部品の固定構造は、図１（ａ）（ｂ）に示すように、上部に底部を有する有底円筒状のブッシュ１の上側底部に左右２つの孔部１ａ、１ａが穿設され、これと交差するように、前後２つの孔部１ｂ、１ｂが穿設されている。これら左右２つの孔部１ａ、１ａの間隔と前後２つの孔部１ｂ、１ｂの間隔は異なっており、左右２つの孔部１ａ、１ａには図１（ｃ）（ｄ）にはダイオード２の端子２ａ、２ａが挿入され、前後２つの孔部１ｂ、１ｂには図１（ｅ）に示すように、表示管３の複数の端子３ａの内、両側各２つの端子３ａ、３ａがそれぞれ挿入されるようになっている。図１（ｃ）（ｄ）に示すように、ブッシュ１の左右２つの孔部１ａ、１ａに挿入されたダイオード２の端子２ａ、２ａは基板４の孔４ａ、４ａに挿入されて半田付けによって固定される。また、図１（ｅ）に示すように、ブッシュ１の前後２つの孔部１ｂ、１ｂにはブッシュ１を９０度回転した状態で、表示管３の両側の端子３ａ、３ａが挿入され、表示管３の複数の端子３ａが基板４の孔４ｂに挿入されて半田付けによって固定される。
【００１９】
従って、この第１実施形態によれば、ダイオード２を固定するブッシュ１を用いて表示管３を固定でき、１つのブッシュ１をダイオード固定用と表示管固定用として使用できる。これにより、部品の種類の削減を図れ、コストダウンを図ることができる。
【００２０】
図２は第２実施形態のブッシュを用いた電子部品の固定構造におけるブッシュを示し、（ａ）はその斜視図、（ｂ）はその平面図である。
【００２１】
この第２実施形態のブッシュを用いた電子部品の固定構造は、図２（ａ）（ｂ）に示すように、上側に底部を有するブッシュ１Ａが平面視略四辺形に形成されている。このブッシュ１Ａの上側底部には、ダイオード２の端子２ａ、２ａを挿入できる左右２つの孔部１ａ、１ａが穿設されると共に、表示管３の端子３ａ、３ａを挿入できる前後２つの孔部１ｂ、１ｂが穿設されている。従って、このブッシュ１Ａは、ダイオード固定用と表示管固定用を兼用することができる。
【００２２】
この第２実施形態によれば、有底筒状のブッシュ１Ａが平面視略四辺形に形成されているから、ブッシュ１Ａを簡単に製作することができ、しかも、ダイオード２及び表示管３を基板４に対して安定した状態で固定することができる。
【００２３】
図３は第３実施形態のブッシュを用いた電子部品の固定構造におけるブッシュを示し、（ａ）はその斜視図、（ｂ）はその平面図である。
【００２４】
この第３実施形態のブッシュを用いた電子部品の固定構造は、図３（ａ）（ｂ）に示すように、有底筒状のブッシュ１Ｂが平面視略四辺形に形成され、その上側底部に左右２つの孔部１ａ、１ａが穿設されると共に、前後２つの孔部１ｂ、１ｂが穿設されており、更に、中央部に１つの孔部１ｃが穿設されている。
【００２５】
この第３実施形態では、端子を３つ有する第１の電子部品（図示略）と端子を２つ又は３つ有する第２の電子部品（図示略）のそれぞれの端子（図示略）をブッシュ１Ｂの孔部１ａ、１ｂ、１ｃに挿入してこの端子を基板４の孔部に挿入し、半田付けして固定する。
【００２６】
この第３実施形態によれば、端子間の間隔及び本数の異なる第１の電子部品と第２の電子部品をそれぞれ基板４に固定することができ、１つのブッシュ１Ｂで２つの電子部品の固定用として兼用することができる。
【図面の簡単な説明】
【００２７】
【図１】本発明の第１実施形態のブッシュを用いた電子部品の固定構造を示し、（ａ）はそのブッシュの斜視図、（ｂ）はそのブッシュの平面図、（ｃ）はブッシュを用いてダイオードを基板に固定した状態の縦断面図、（ｃ）はブッシュを用いてダイオードを基板に固定した状態の正面図、（ｅ）はブッシュを用いて表示管を基板に固定した状態の一部断面した正面図である。
【図２】第２実施形態のブッシュを用いた電子部品の固定構造におけるブッシュを示し、（ａ）はその斜視図、（ｂ）はその平面図である。
【図３】第３実施形態のブッシュを用いた電子部品の固定構造におけるブッシュを示し、（ａ）はその斜視図、（ｂ）はその平面図である。
【図４】従来のＬＥＤブラケット連結体を示し、（ａ）は斜視図、（ｂ）は平面図、（ｃ）は正面図である。
【図５】従来の表示装置の取付構造を示し、（ａ）はその正面断面図、（ｂ）はその側面断面図である。
【図６】従来の電子機器構造の部分分解斜視図である。
【符号の説明】
【００２８】
１        ブッシュ
１Ａ      ブッシュ
１Ｂ      ブッシュ
１ａ      左右の孔部
１ｂ      前後の孔部
１ｃ      中央部の孔部
２        ダイオード
２ａ      端子
３        表示管
３ａ      端子
４        基板
４ａ      孔
【図１】
2007184469.tif 000003
【図２】
2007184469.tif 000004
【図３】
2007184469.tif 000005
【図４】
2007184469.tif 000006
【図５】
2007184469.tif 000007
【図６】
2007184469.tif 000008